(57)【要約】【課題】  滑走時において異物の嵌り込みを回避することができ、滑走者の安全性を向上させることができる滑り台用の滑面材を提供することを目的とする。【解決手段】  並べて固定することによって滑り台８の滑走面７を形成することができる滑面材１において、並列した際に、隣接する滑面材１との間に形成される間隙Ｃへの異物の嵌り込みを防止することを目的として、間隙Ｃの深さ寸法を小さくすることができる噛み合わせ機構（突条５、凹溝６）を有していることを特徴とする。【選択図】  図３
2005342202.tif 000002
【特許請求の範囲】
【請求項１】
並べて固定することによって滑り台の滑走面を形成することができる滑り台用の滑面材であって、
並列した際に、隣接する滑面材との間に形成される間隙への異物の嵌り込み防止手段を有していることを特徴とする滑面材。
【請求項２】
前記嵌り込み防止手段が、間隙の深さ寸法を小さくすることができる噛み合わせ機構であることを特徴とする、請求項１に記載の滑面材。
【請求項３】
前記嵌り込み防止手段が、間隙を滑走面側或いは滑走面の近傍において塞ぐことができる閉塞機構であることを特徴とする、請求項１に記載の滑面材。
【請求項４】
請求項１〜３のいずれかに記載の滑面材を、所定間隔をおいて複数枚並列し、固定することにより、滑走面を形成してなることを特徴とする滑り台。
【発明の詳細な説明】
【技術分野】
【０００１】
本発明は、公園や遊園地などに設置される滑り台の構成材料として用いられる滑面材に関し、特に、大規模な滑り台において好適に用いることができる合成樹脂製の滑面材に関する。
【背景技術】
【０００２】
最近では、公園や遊園地等に、長さが２０ｍを超える大規模な滑り台が設置される例が増えている。このような大規模な滑り台においては、設置場所の地理的条件に応じて自由なカーブ（コーナー、バンク）を作ることができるように、幅６０〜１２０ｍｍ、長さ２〜４ｍ程度の長板状（帯状）に成形した滑面材を、幅方向及び滑走方向に複数枚並列して固定することによって、滑走面が構成されていることが多い（特開平１１−２５３６６１号公報、特開２００２−１２６３５８号公報等）。
【０００３】
尚、滑り台の滑面材としては、従来より様々な材料（ステンレス、ＦＲＰ、ポリエチレン等）が用いられているが、上記のような大規模な滑り台においては、滑走時に発生する静電気を好適に抑制でき、摩擦係数が小さく、また、耐摩耗性にも優れているという理由で、特殊な合成樹脂（例えば、超高分子量ポリエチレンにカーボン又は界面活性剤を混合してなる材料）によって形成した滑面材等が用いられている。
【０００４】
【特許文献１】特開平１１−２５３６６１号公報
【特許文献２】特開２００２−１２６３５８号公報
【発明の開示】
【発明が解決しようとする課題】
【０００５】
ところで、合成樹脂は、熱による膨張係数が鉄の１０数倍も大きいため、合成樹脂製の滑面材を用いた滑り台を屋外に設置した場合、滑面材は直射日光を受けて熱せられ、膨張することになる。従って、合成樹脂製の滑面材を用いて滑り台の滑走面を構築しようとする際には、熱膨張による変形量を考慮して、所定の間隔を置いて滑面材を配置することにより、並列される複数の滑面材の間に１〜２ｍｍ程度の間隙を形成することが必要となる。
【０００６】
しかしながら、滑走面に間隙が存在していると、滑走時において滑走者の着衣の一部（ファスナー、ボタンなど）や、装身具（キーホルダー、チェーンなど）が嵌り込んでしまう可能性があり、衣服の破損を招きかねないばかりか、滑走者の安全性を確保するうえでも問題がある。
【０００７】
本発明は、このような従来技術の問題点を解決すべくなされたものであって、異物の嵌り込みを回避することができ、滑走者の安全性を向上させることができる滑り台用の滑面材を提供することを目的とする。
【課題を解決するための手段】
【０００８】
本発明に係る滑面材は、並べて固定することによって滑り台の滑走面を形成することができる滑り台用の滑面材において、並列した際に、隣接する滑面材との間に形成される間隙への異物の嵌り込み防止手段を有していることを特徴としている。尚、嵌り込み防止手段は、間隙の深さ寸法を小さくすることができる噛み合わせ機構（例えば、突条と凹溝、凹溝とジョイント材、面取肩部と延長部等）、或いは、間隙を滑走面側或いは滑走面の近傍において塞ぐことができる閉塞機構（例えば、延長部、耳部等）であることが好ましい。
【０００９】
また、本発明に係る滑り台は、上記のような滑面材を、所定間隔をおいて複数枚並列し、固定することにより、滑走面を形成してなることを特徴としている。
【発明の効果】
【００１０】
本発明に係る滑面材を用いて滑り台の滑走面を形成した場合、隣接する滑面材同士の間に、熱膨張を許容する間隙を確保することができると同時に、それらの間隙への異物の嵌り込みを好適に回避することができる。その結果、滑走時における衣服等の破損を防止し、滑り台における安全性を向上させることができる。
【発明を実施するための最良の形態】
【００１１】
以下、本発明の好適な実施形態について説明する。本発明の滑面材１は、特殊な合成樹脂、より詳細には、超高分子量ポリエチレンにカーボン（又は界面活性剤）を混合してなる材料によって形成されている。そして、図１（本発明の第１の実施形態に係る滑面材１の斜視図）、及び、図２（図１の滑面材１の断面図）に示されているように、この滑面材１は、平板状の本体２と、本体２の両側縁からそれぞれ下方へ向かって垂直に延在する側部３（３ａ，３ｂ）と、それら両側部３ａ，３ｂの下縁からそれぞれ内側へ向かって延在する下部４（４ａ，４ｂ）とによって構成されている。
【００１２】
また、一方の側部３（図２において右側の側部３ａ）には、外側へ向かって突出する突条５が形成されており、反対側の側部３（図２において左側の側部３ｂ）には、凹溝６が形成されている。
【００１３】
尚、本体２の幅寸法は６０ｍｍ、厚さは７ｍｍ、全体の高さ（本体２の上面から下部４の底面まで）は１７ｍｍ、突条５の突出高さは２．５ｍｍ、凹溝６の最大深さは１．７ｍｍに設定されており、長手方向の全長にわたって、同一の断面形状（図２に示した断面形状）となるように形成されている。
【００１４】
図３は、図１、図２に示した滑面材１を用いて滑走面７を構成した滑り台８の断面図である。図示されているように、この滑り台８は、幅方向について水平な滑走面７を有しており、この滑走面７は、複数の滑面材１を幅方向について水平に並べることによって構成されている。尚、図３において、９は滑り台のガイド板、１０は手摺り、１１はリブ（直状リブ）、１２はレール材（π型レール）である。
【００１５】
リブ１１は、平行な二枚のガイド板９，９の間に、所定間隔を置いて複数本張り渡され、レール材１２は、それらのリブ１１の上面において、リブ１１と直交する向きで、滑走面７の幅方向に並列され、固定されている。そして、滑面材１は、各レール材１２に対し、上半部を覆うような状態で取り付けられている。
【００１６】
尚、レール材１２の下半部は、幅寸法が滑面材１の幅寸法（突条５を除く。）よりも僅かに大きくなるように設定されている。従って、隣接するレール材１２を、図示されているようにリブ１１上において下半部同士が当接するように並列し、固定すると、各上半部に取り付けた滑面材１，１の間には、所定の間隙Ｃが形成されることになる。
【００１７】
本発明の滑面材１は、前述したように特殊な合成樹脂によって形成されているため、適用される滑り台８が屋外に設置される場合、直射日光による熱を受けて膨張する可能性があるが、各滑面材１の間に間隙Ｃが形成されているため、膨張した滑面材１同士が接触することによって滑走面７が歪んでしまったり、滑走の障害となるような凸部が滑走面７に形成されるといった事態を回避することができる。
【００１８】
一方、滑走面７にこのような間隙Ｃが存在していると、滑走者の着衣の一部や装身具が嵌り込んで、衣服が破損するというような事故が生じかねないが、本発明の滑面材１においては、このような事故を好適に回避できるようになっている。
【００１９】
この点について具体的に説明すると、本発明の滑面材１は、前述の通り一方の側部３ａに突条５が形成されており、この突条５の突出量は、隣接する滑面材１，１間に形成される間隙Ｃよりも大きくなるように寸法設定されている。そして、この突条５は、隣接する滑面材１の側部３ｂに形成されている凹溝６内に、先端部が進入するような位置関係をもって形成されている。従って、図３に示されているように、滑面材１を並列させた場合、熱膨張を許容するための間隙Ｃを確保しつつ、突条５と凹溝６からなる噛み合わせ機構によって、それらの間隙Ｃの深さ（滑走面７からの深さ）寸法を小さくすることができ、滑走面７における異物の嵌り込みを好適に回避することができる。
【００２０】
また、この滑面材１は、図４に示すように、滑走面７を樋のように湾曲させた滑り台８に適用することもできる。この場合も、図示されているように突条５の先端部が、隣接する滑面材１の凹溝６内に進入するようにして滑面材１を並列固定することにより、熱膨張を許容するための間隙を確保しつつ、突条５と凹溝６からなる噛み合わせ機構によって、それらの間隙の深さ寸法を小さくすることができ、滑走面７における異物の嵌り込みを回避することができる。
【００２１】
尚、図４において、１０は手摺り、１１はリブ（円弧状リブ）、１２はレール材（板状レール材）であり、図示されているようにレール材１２は、リブ１１の内側において所定間隔を置いてそれぞれ溶接固定されている。そして、滑面材１は、各レール材１２に対し、全体を覆うような状態で取り付けられている。
【００２２】
図５は、本発明の第２の実施形態に係る滑面材１の断面図である。図示されているようにこの滑面材１においては、両側部３ａ，３ｂに凹溝６が形成されている。そして、この滑面材１を用いて滑り台の滑走面を形成しようとする際には、隣接する二つの滑面材１，１において向かい合う形となる二つの凹溝６，６の間に、ジョイント材１３をそれぞれ挟持させるようにする。
【００２３】
ジョイント材１３は、弾性力のある材料（ゴム等）によって形成されており、各滑面材１の熱膨張を許容することができる。そして、滑面材１とジョイント材１３を図５に示すように配置して滑り台を構成した場合、凹溝６とジョイント材１３からなる噛み合わせ機構により、間隙の深さ寸法を小さくすることができるので、滑走面における異物の嵌り込みを回避することができる。
【００２４】
図６は、本発明の第３の実施形態に係る滑面材１の断面図である。この滑面材１は、一方の肩部が面取りされ（面取肩部１４）、他方の肩部には、隣接する滑面材１の面取肩部１４の領域に進入する延長部１５が形成されている。そして、図示されているように、延長部１５が、隣接する滑面材１の面取肩部１４の領域に進入するような位置関係をもって、複数の滑面材１を並べて固定した場合、これら面取肩部１４と延長部１５からなる噛み合わせ機構により、各滑面材１の熱膨張を許容する間隙を確保しつつ、それらの間隙の深さ寸法を小さくすることができ、滑走面における異物の嵌り込みを回避することができる。
【００２５】
図７は、本発明の第４の実施形態に係る滑面材１（１ａ，１ｂ）の断面図である。図示されているように、本実施形態においては、形状が異なる２種類の滑面材１ａ，１ｂが用いられている。より具体的には、一方の滑面材１ａは、他方の滑面材１ｂよりも高さ寸法が大きく、両肩部には、延長部１６，１６がそれぞれ形成されている。
【００２６】
これらの延長部１６，１６は、小さい方の滑面材１ｂの上面（滑走面となる面）よりも高い位置において幅方向へ突出するように構成されている。従って、図示されているように、延長部１６，１６を有する滑面材１ａと、小さい方の滑面材１ｂとを交互に並べた場合、延長部１６が、隣接する滑面材１ｂの肩部の上方に重なるような状態となり、各滑面材１ａ，１ｂの熱膨張を許容する間隙を確保しつつ、それらの間隙を滑走面側において塞ぐことができ（閉塞機構）、その結果、滑走面における異物の嵌り込みを回避することができる。
【００２７】
図８は、本発明の第５の実施形態に係る滑面材１の断面図である。この滑面材１は、可撓性を有する耳部１７，１７が両肩部にそれぞれ形成されている。これらの耳部１７，１７は、図示されているように、基端部においては幅方向外側へ突出し、その先は次第に下方へ向かい、先端部は、下方内側を向くように湾曲した状態となっている。そして、これらの耳部１７，１７は、本体と一体的に成形されており、本体部分と同一の材料によって構成されているが、本体部分に比べて厚さ寸法が小さくなっている分、本体よりも大きな可撓性を有している。
【００２８】
この滑面材１を用いて滑り台の滑走面を構成しようとする際には、図示されているように、各滑面材１を、耳部１７が接触するするような位置関係を持って並べて固定する。各耳部１７は、前述したように可撓性を有しているので、各滑面材１の熱膨張を許容することができる。そして、隣接する耳部１７，１７同士が接触することにより、滑面材１，１の間に形成される間隙を滑走面近傍において塞ぐことができ（閉塞機構）、その結果、滑走面における異物の嵌り込みを回避することができる。
【００２９】
尚、耳部１７の形成方法は特に限定されず、滑面材１の本体部分と一体的に成形されるのではなく、耳部１７を本体部分とは別に成形し、これを接着等により本体の肩部に取り付けることによって、図８に示したような滑面材１を構成することもできる。
【図面の簡単な説明】
【００３０】
【図１】本発明の第１の実施形態に係る滑面材１の斜視図。
【図２】図１に示した滑面材１の断面図。
【図３】図１に示した滑面材１を用いて、幅方向について水平な滑走面７を構成した滑り台８の断面図。
【図４】図１に示した滑面材１を用いて、樋のように湾曲させた滑走面７を構成した滑り台８の断面図。
【図５】本発明の第２の実施形態に係る滑面材１の断面図。
【図６】本発明の第３の実施形態に係る滑面材１の断面図。
【図７】本発明の第４の実施形態に係る滑面材１（１ａ，１ｂ）の断面図。
【図８】本発明の第５の実施形態に係る滑面材１の断面図。
【符号の説明】
【００３１】
１，１ａ，１ｂ：滑面材、
２：本体、
３，３ａ，３ｂ：側部、
４，４ａ，４ｂ：下部、
５：突条、
６：凹溝、
７：滑走面、
８：滑り台、
９：ガイド板、
１０：手摺り、
１１：リブ、
１２：レール材、
１３：ジョイント材、
１４：面取肩部、
１５，１６延長部、
１７：耳部、
Ｃ：間隙
【図１】
2005342202.tif 000003
【図２】
2005342202.tif 000004
【図３】
2005342202.tif 000005
【図４】
2005342202.tif 000006
【図５】
2005342202.tif 000007
【図６】
2005342202.tif 000008
【図７】
2005342202.tif 000009
【図８】
2005342202.tif 000010